(57)【要約】【課題】複数枚のメモリーカード内の同じ又は連なった撮影日のデーターを同じフォルダに移し、メモリーカードをクリアする。【解決手段】２枚目のメモリーカードの各画像の撮影日データに１枚目と同じまたは連なったデータがあれば記憶装置の同じフォルダに記憶してメモリーカードのデータをクリアする。【選択図】　　　　図１
2004133520.tif 000002
【特許請求の範囲】
【請求項１】
半導体等の記憶媒体に記録されているデジタル化された画像データもしくは音声データ付き画像データを取り込む第一の入力手段と、操作指示手段からの操作信号を入力する第二の入力手段と、前記第一の入力手段に第一の記憶媒体が装着されたことを検出する検出手段と、前記検出手段の検出結果に基づいて、前記第一の記憶媒体に記録されているデータの関連情報を読み取る関連情報読み取り手段と、前記関連情報読み取り手段の読み取り結果を記憶保持する第一の記憶手段と、所定時間経過後に前記第一の記憶媒体のデータを第二の記憶手段に記憶した後、前記第一の記憶媒体の記憶内容を消去し、前記所定時間経過前に前記操作指示手段からの操作信号が前記第二の入力手段に取り込まれた時、前記操作指示手段により指示された処理を行う処理手段と、前記第一の入力手段に第二の記憶媒体が装着されたことを前記検出手段が検出した時、前記第二の記憶媒体に記録されているデータの関連情報を前記関連情報読み取り手段により読み取り、その読み取り結果と前記第一の記憶手段の内容と比較判別する比較判別手段と、前記比較判別手段の判別結果に基づいて報知する報知手段と前記第二の記憶媒体のデータを前記第二の記憶手段の前期操作指示手段が指定した指定先に記憶した後、前記第二の記憶媒体の記憶内容を消去する手段とを具備する画像ファイルシステム。
【請求項２】
前記操作指示手段は少なくともタッチパネルによる入力手段とバーコード入力手段とを具備し、前記タッチパネル操作により発生する操作指示信号は前記バーコード入力手段からの入力データにより変更する変更手段を備えたことを特徴とする請求項１記載の画像ファイルシステム。
【請求項３】
前記関連情報読み取り手段は前記記憶媒体に記憶されている撮影日時データーを読取る事を特徴とする請求項１記載の画像ファイルシステム。
【請求項４】
前記報知手段は前記第一第二の記憶媒体に記憶されているデータ間で、同じ日付がある時第一の報知情報を出し、連続した日付がある時第二の報知情報を出し、それ以外の時第三の報知情報を出す事を特徴とする請求項１記載の画像ファイルシステム。
【発明の詳細な説明】
【０００１】
【発明の属する技術分野】
本発明は画像ファイル装置に関し、特に記憶媒体からのデータを自動的に取り込んでファイリング先の指定を改善した技術に関するものである。
【０００２】
【従来の技術】
従来デジタルカメラで撮った画像データをパソコン等のハードディスク装置を備えた機器に取り込む場合、シリアルケーブルで直接デジタルカメラとパソコンを接続して、もしくはデジタルカメラからメモリーカードを抜き該メモリーカード専用のスロットが備えてあればそこに挿し、あるいはＰＣカードアダプターの様なアダプターを介して挿して、パソコン側のファイル管理ソフトを立ち上げて、フォルダ名を入力してもしくは日付により自動的に保存していた。又、メモリーカードの内容を調べるのにはメモリーカードを前述のようにパソコンに挿入して対応するソフトを立ち上げて中身を確認したり、デジタルカメラに挿入して再生モードにして確認していた。特開２０００−０８３１９１にはパソコンを使わずにテレビをモニターとして用いる専用の画像編集装置が提案されメモリーカードのような外部記憶装置を前記編集装置に挿すと画像内容が表示される技術が開示されている。特開平５−１６５９３５には複数枚の撮影画像信号と撮影時の関連情報を記憶して関連情報でグループ化し、グループ毎の検索が出来る技術が開示されている。そしてハードディスクに保存後はメモリーカードの中身をパソコンのファイル管理ソフトや、デジタルカメラの操作で空にして、新たな撮影ができるようにしていた。
【０００３】
【発明が解決しようとする課題】
しかしながら、パソコンを用いてこれら画像データをハードディスク等の記憶装置に取り込むにはファイル管理ソフトを立ち上げてファイル名を入力して保存したり、フォルダを新たに作成してその中にファイルを入れたりする作業が必要で、ファイルがきちっと整理されファイル後の検索が容易に行える半面、入力の煩わしさがあり、コンピュータの操作にある程度習熟している必要があった。専用の編集装置もメモリーカードのような記憶媒体を挿入することで自動的にテレビ等のモニターに内容が表示されたり、撮影日や輝度、撮影間隔等の撮影条件等の関連情報を基にグループ化しグループ毎の検索が簡単に出来る様になっているがハードディスク等の記憶装置にデータを移す作業は付属のリモコン等で順次操作せねばならなく、さらにハードディスク等の記憶装置に保存した後のメモリーカードの中身を消去して新たな撮影が出来るようにする為には前述のようなパソコンもしくはデジタルカメラでの操作が必要になるが、撮影後すぐに保存しないでしばらく放置した場合中身がどんな物であったか忘れたり保存済みの物で消去して構わない物かどうか判らなくなったりする為中身の確認及びハードディスク等の記憶装置に保存済みかどうかの検索をパソコンを起動してソフトを立ち上げたり、先述の編集装置に差し込んで記憶装置の中身を確認後デジタルカメラに挿して、またはデジタルカメラで中身を確認後消去する操作を余儀なくされ、さらにはメモリーカードを複数枚所持している時には中身の管理がさらに面倒になる問題点がある。
【０００４】
【課題を解決するための手段】
これらの点を鑑みて本発明は、半導体等の記憶媒体に記録されているデジタル化された画像データもしくは音声データ付き画像データを取り込む第一の入力手段と、操作指示手段からの操作信号を入力する第二の入力手段と、前記第一の入力手段に第一の記憶媒体が装着されたことを検出する検出手段と、前記検出手段の検出結果に基づいて、前記第一の記憶媒体に記録されているデータの関連情報を読み取る関連情報読み取り手段と、前記関連情報読み取り手段の読み取り結果を記憶保持する第一の記憶手段と、所定時間経過後に前記第一の記憶媒体のデータを第二の記憶手段に記憶した後、前記第一の記憶媒体の記憶内容を消去し、前記所定時間経過前に前記操作指示手段からの操作信号が前記第二の入力手段に取り込まれた時、前記操作指示手段により指示された処理を行う処理手段と、前記第一の入力手段に第二の記憶媒体が装着されたことを前記検出手段が検出した時、前記第二の記憶媒体に記録されているデータの関連情報を前記関連情報読み取り手段により読み取り、その読み取り結果と前記第一の記憶手段の内容と比較判別する比較判別手段と、前記比較判別手段の判別結果に基づいて報知する報知手段と前記第二の記憶媒体のデータを前記第二の記憶手段の前期操作指示手段が指定した指定先に記憶した後、前記第二の記憶媒体の記憶内容を消去する手段とを具備する。
【０００５】
また、第二の発明は第一の発明に於いて第一第二の記憶媒体のデータを第二の記憶手段に記録する時に操作者の所望するフォルダ先に指示するためのリモコン装置を具備する。
【０００６】
【発明の実施の形態】
本発明を図と共に説明する。図１は、本発明の画像ファイルシステムの構成を示すシステム図で１はハードディスク（図示せず）やＣＤ‐Ｒドライブ（図示せず）を備えたファイリング部本体、１−１はメモリーカード挿入スロット、１−２はＣＤ−Ｒ挿入スロット、１−３は赤外線受光部、２はメモリーカード、３は表示部として使用するテレビ受像機、４は操作リモコン、４−１はタッチパネル付き表示部、５は裏面にバーコード印刷部（図示せず）を備えた操作指示カード。
【０００７】
図２はファイリング部本体１の構成を示すブロック図で２０はＣＰＵ、２１はＲＡＭ、２２は後述する各種の処理プログラムが収納されているＲＯＭ、２３は画像データ等を貯め込んでおく為のハードディスクドライブ（ＨＤＤ）装置、２４はＨＤＤに貯められた画像データ等を記録メディアのＣＤ−Ｒに書き込んでバックアップ保存する為のＣＤ−Ｒドライブ装置、２５はメモリーカード２からの各種データを取り込むためのＰＣＭＣＩＡ（ＰＣ）カードインターフェイス部、２６はリモコン操作部と通信する為の赤外線送受信ユニット、２７は前記各ブロックを繋いでいるデータバス、２８は各ブロックに電力を供給する為の電源回路部（電力供給線は図示せず）である。
【０００８】
図４は操作リモコン４の構造を示す断面図で４は操作リモコン本体部、４１は透明タッチパネルで液晶表示パネル４２の上面に配置され、液晶表示部に表示される仮想キーボードや各種アイコンの部位をタッチすることでそれぞれの処理の入力指示が行われる。４４は操作指示カード５の挿入口で、透明タッチパネル４１と液晶表示パネル４２との間に設けられた空間４５に操作指示カード５が挿入され、操作指示カード５に印刷された各種アイコンが透明タッチパネルを介して目視できる様に図られている。４３はバーコード読取装置で操作指示カード５が挿入口４４から挿入された時、裏面に印刷されたバーコードを読み取り、表面に印刷された各種アイコンに対応する情報とアイコンが印刷されている位置情報をＣＰＵ３０や、ＲＯＭ３２、ＲＡＭ３１等で構成されている演算処理回路部４６に送る。そしてタッチパネル４１が押下された時、押下された部位と一致する位置情報を持つアイコン情報が検索され、一致したアイコン情報が赤外線送受信部４７から本体部１に送出される。４８は演算処理回路部４６やバーコード読取装置などに電力を供給する電池部。４９は操作指示カード５の挿入有無を検出する検出装置。
【０００９】
図３は操作リモコン４の構成を示すブロック図で３０はＣＰＵ、３１はＲＡＭ、３２は後述する各種処理プログラムが収納されているＲＯＭ、３３は液晶表示ユニット、３４は操作指示カード５に印刷されたバーコード情報を読み取る為のバーコード読取装置、３５はタッチパネル入力ユニット、３８は各処理ブロックに電力を供給する為の電源回路（電力供給線は図示せず）である。
【００１０】
図６はファイリング部本体１のＨＤＤ装置２３に記憶されているデータのファイル構造を示した物で６０はＨＤＤのボリューム名、６１はアルバムフォルダで、この「あっちゃんのアルバム」には学芸会６２−１、運動会６２−２、遠足６２−３、夏休み６２−４、お誕生会６２−５、その他６２−６、等のサブフォルダが有り、各々のサブフォルダ内にはさらにサブフォルダが作られている。例えば運動会６２−２には日付で分けられたサブフォルダ６３−１〜６３−４が有る。これは、毎年の運動会の記録が年ごとに保存されている為で、それぞれのフォルダ内には個々の画像データが保存されていて、例えば「２０００．１０．０８」のサブフォルダ６３には画像データ、動画データ群６４が収められている。同様にアルバムフォルダ「パパのアルバム」６６にはゴルフ６７−１、キャンプ６７−２、同窓会６７−３、の様なサブフォルダが作られていて、先述と同様にそれぞれのフォルダには各々日付で分けられたサブフォルダ（図示せず）が収められている。また、日時フォルダ６５の中には後述する操作リモコン４でファイル先を指定しなかった物などが撮影日時データをフォルダ名にして保存されている（図示せず）。
【００１１】
図５−１は操作指示カード５の表面の印刷例で５１はカードのタイトル名で図６のアルバムフォルダ「あっちゃんのアルバム」６１を示している。５２〜５７のアイコンはそれぞれその下位フォルダ名で学芸会６２−１、運動会６２−２、遠足６２−３、夏休み６２−４、お誕生会６２−５、その他６２−６と関係付けられている。又、それぞれのアイコン位置情報として学芸会は（ｘ２、ｙ３）、運動会は（ｘ２、ｙ２）、遠足が（ｘ２、ｙ１）、夏休みは（ｘ３、ｙ３）、お誕生会は（ｘ３、ｙ２）に、そしてその他が（ｘ３、ｙ１）、実行キーは（Ｘ１、Ｙ２）、解除キーは（Ｘ１、Ｙ１）の位置情報としてそれぞれ割り振られている。
【００１２】
図５‐２は操作指示カード５の裏面の印刷例で５７はバーコードが印刷されている。バーコード情報としては表面に印刷されている各アイコン５２〜５７のファイル名とそれらの位置情報で、又、バーコードの印刷方式としてはＰＤＦ４１７等の公知技術を用いた２次元バーコード方式でよく詳細説明は省略する。
【００１３】
次に操作リモコン４のＲＯＭ３２に格納されている動作処理プログラムの一例を図にそって説明する。図７はタッチパネル操作部の処理フロー図でステップＳ１はタッチパネル３５が押下されて操作指示がされるまで待機しているステップで何かタッチパネルが操作されるとステップＳ２でタッチ操作が確実に押下されたのか判別され不確実なタッチ操作やノイズ等による誤入力はＮｏとして何も処理されずステップＳ１のＷａｉｔに戻る。確実なタッチ操作であればＹｅｓで次のステップＳ３に進み操作指示カード５がセットされているのか後述する「カード有り」フラッグＦ１が判別されＹｅｓであればタッチパネルの押下位置と一致するアイコン情報がＲＡＭ３１（図８参照）に登録されているかステップＳ４で判別するが、タッチスイッチの場合、完全な位置一致で入力を判別すると入力位置がシビアに成る為、あらかじめ決めておいた許容誤差（Δｘ、Δｙ）をもうけてその範囲内に入っていれば一致とみなす処理を行う。例えば運動会５３の辺りをタッチした時のタッチパネルの検出位置座標が（Ｘｎ，Ｙｍ）でこの値がＸ１＋Δｘ≧Ｘｎ≧Ｘ１−Δｘ、Ｙ２＋Δｙ≧Ｙｍ≧Ｙ２−Δｙに成っていれば一致と判定する。そしてステップＳ６でフォルダ情報として「￥あっちゃんのアルバム￥運動会」が赤外線送受信部から送出されステップＳ１に戻る。又、ステップＳ４で一致するアイコンの位置データが無かった時には無効な部位へのタッチ操作として何も処理せずにステップＳ１に戻る。さらにステップＳ３でカード５が挿入されていなかった時Ｎｏと成りステップＳ５でステップＳ４と同様にキー位置が一致するかＲＡＭ３１（図９参照）のデータと比較判別され一致したアイコンがあればそのアイコンに対応した処理がステップＳ７で行われステップＳ１に戻る。又、ステップＳ５で一致するアイコンの位置データが無かった時には無効な部位へのタッチ操作として何も処理せずにステップＳ１に戻る。
【００１４】
図１１は操作指示カード５が操作リモコン４に挿入された時の処理を示すフロー図で、ステップＳ１はＷａｉｔ状態で図７のステップＳ１と同じ処理ルーチンで待っている。操作指示カード５がカード挿入口４４から挿入されると、カード検出スイッチ４９がオンして（ステップＳ２）所謂インタラプト処理ルーチンのステップＳ３へ飛びバーコード読取装置３４によって操作指示カード５の裏面のバーコード５７が読み取られ、カード内に設定されているアイコンの種類と位置情報がＲＡＭ３１（図８参照）の方に書き込まれ（ステップＳ４）その後ステップＳ５でＲＡＭ３１に「カード有り」フラッグＦ１をセットして（図示せず）処理を終わる。
【００１５】
図１０は操作リモコン４に操作指示カード５が無い時の液晶表示機４２の表示状態を示す図で、４２−１はメインメニュー表示キー、４２−２はアルバム管理キー、４２−３はメモリーカードの内容を見てチェックする為のビューアーキー、４２−４は左矢印キー、４２−５は上矢印キー、４２−６は右矢印キー、４２−７は下矢印キー、４２−８は解除キー、４２−９は実行キーのアイコンを表示している。そしてこれらのアイコンに対応する位置情報は後述するようにＲＡＭ３１にセットされ、タッチパネル操作に応じて各アイコンの入力として動作する様に計られている。
【００１６】
図１２は操作指示カード５が操作リモコン４から抜かれた時の処理を示すフロー図で、ステップＳ１はＷａｉｔ状態で図７のステップＳ１と同じ処理ルーチンで待っている。操作指示カード５がカード挿入口４４から抜かれると、カード検出スイッチ４９がオフして（ステップＳ２）所謂インタラプト処理ルーチンのステップＳ３へ飛び液晶表示装置に図１０で示したようなアイコンの表示処理を行い、アイコンの種類と位置情報がＲＡＭ３１（図９参照）の方に書き込まれ（ステップＳ３）その後ステップＳ４でＲＡＭ３１に「カード有り」フラッグＦ１をリセットして（図示せず）処理を終わる。
【００１７】
図１３はファイリング部本体１のＲＯＭ３２に書き込まれているプログラムの処理フローを説明する図でステップＳ１はＷａｉｔで処理要求のインタラプトが入るまでここで待機している。処理要求のインタラプトが入るとステップＳ２で操作リモコン４からの赤外線の信号が赤外線送受信ユニットに受信されたか判別する。ＮｏであるとステップＳ３でメモリーカードが挿入スロット１−１に挿入されたかを判別する。Ｎｏであれば何も処理せずにステップＳ１のＷａｉｔに戻りインタラプトが入るまで待機している。メモリーカードが挿入された時はステップＳ３でＹｅｓとなりステップＳ４でメモリーカードの内容がチェックされる。何も記録されていない（Ｎｏ）時にはステップＳ８に進んでアラーム音（アラーム１）を鳴らし何も処理せずにステップＳ１３でメモリーカードを排出して（図示せず）ステップＳ１に戻る。メモリーカードに画像データが記録されていれば（Ｙｅｓ）ステップＳ５に進んで一枚目（新規）のカード挿入かを判別する為のＲＡＭ２１内に設けられた（図示せず）フラッグ▲１▼がセットされているか判別される。ＮｏであればステップＳ６でフラッグ▲１▼をセットしてステップＳ７でメモリーカードの各画像データの日付データをＲＡＭ２１に保存する。ＹｅｓであればステップＳ６〜ステップＳ７を行わず次の所定時間経過待機のためステップＳ９でタイマーを働かせ待機中にステップＳ１０で操作リモコン４からの赤外線による操作指示信号が来るかのチェックを行い、所定時間経過しても操作リモコン４から信号を受信しなかった時はステップＳ９でＹｅｓとなり、ステップＳ１１で撮影日時データを用いてフォルダを作成して、ステップＳ１２でメモリーカードのデータをそのフォルダに移、しメモリーカードの中身のクリア処理と先述のフラッグ▲１▼をクリアし、ステップＳ１３でメモリーカードを排出し、一連の処理を終わりステップＳ１に戻る。また、タイマー経過途中で操作指示カード５が挿入された操作リモコン４のアイコン（例えば「運動会」）がタッチされるとメモリーカードのデータの保存先のフォルダ名として「￥あっちゃんのアルバム￥運動会」の信号が操作リモコン４から送信され、これを受信してステップＳ１０でＹｅｓとなり次のステップＳ１４で操作リモコン４に操作指示カード５が入っている状態でのリモコン操作か判別される操作指示カード５が有るか無いかは先述の送出信号「￥あっちゃんのアルバム￥運動会」のヘッダ部分に識別コードを付加すればよく詳細説明は省略する。ステップＳ１４ではＹｅｓで抜け次のステップＳ１５でフラッグ▲１▼がチェックされる。一枚目のメモリーカードであるからここではＮｏとなり、ステップＳ１８で指定フォルダ「￥あっちゃんのアルバム￥運動会」が存在するか判別し無ければ（Ｎｏ）ステップＳ１７で新規にフォルダを作成する。そしてフォルダがすでに存在していれば（Ｙｅｓ）そのままステップＳ１９へ進み、指定先のフォルダの中に撮影日時データを用いたフォルダ（２０００．１０．０８）６３を作り、メモリーカードのデータをそのフォルダに移して、メモリーカードの中身をクリア処理し、メモリーカードを排出処理（ステップＳ１３）をして一枚目のメモリーカードの処理は終了してステップＳ１へ戻る。
【００１８】
ステップＳ１４で操作指示カード５が入っていない操作リモコン４からの信号と判別されるとＮｏへ進みステップＳ１６で解除キー４２−８が操作されたか判別される。違っていれば（Ｎｏ）何も処理せずにステップＳ９へ戻り、タイマー待ちのループ処理へと戻る。Ｙｅｓであればメモリーカードの中身をハードディスクに落とす作業の中止指示が来たとして何も処理せずにフラッグ▲１▼をクリアしてメモリーカード排出処理（ステップＳ１３）をしてステップＳ１へ戻る。
【００１９】
ここで二枚目のメモリーカードが挿入されると、ステップＳ２→ステップＳ３→ステップＳ４→ステップＳ５→ステップＳ９→ステップＳ１０→ステップＳ１４→ステップＳ１５と進みここで今度は二枚目の為フラッグ▲１▼はセットされているのでＹｅｓで抜け、ＲＡＭ２１に記憶した一枚目の日付データと今度の二枚目のメモリーカードの日付データとをステップＳ２１で比較する。比較の結果同じ日付のデータが有った時にはステップＳ２２に行きテレビのモニター画面に図１４の様な注意画面を出して操作者の指示を待つ。また、連なった日付のデータが有った時にはステップＳ２３でテレビのモニター画面に図１５の様な注意画面を出して操作者の指示を待つ。ここで操作リモコン４から「実行」キー５８が操作されるとＹｅｓとしてステップＳ２６で二枚目のメモリーカードのデータは一枚目のデータを入れたと同じフォルダに追加挿入され、メモリーカードの内容をクリアしフラッグ▲１▼もクリアされステップＳ１３でカード排出処理される。操作リモコン４から「解除」キー５９が操作されたり、同じ日付や連なった日付のデータが無かった時にはステップＳ２４でフラッグ▲１▼をクリアして一枚目のメモリーカードが挿入された時と同じ処理になるようにステップＳ１８へ進み一枚目とは違うフォルダに入れられる。また、ステップＳ１のＷａｉｔで操作リモコン４が操作されると次のステップＳ２でＹｅｓとなりそれぞれタッチしたアイコンに該当する処理ステップＳ２７へと進んでそれぞれの処理を行った後ステップＳ１へ戻る。
【００２０】
（他の実施例−１）
図１６はファイリング部本体１のＲＯＭ３２に書き込まれているプログラムの他の実施例の処理フローを説明する図で、二枚目のメモリーカードに一枚目のメモリーカードと同じ撮影日の日付または連なった日付のほかに他の日付のデータが有った時、同じ日付又は連なった日付のデータは一枚目のデータを入れたフォルダと同じフォルダに入れて、他の日付のデータは別のフォルダに入れられる様に計っている。ステップＳ２６までの処理は図１３とおなじでフロー説明は省略する。ステップＳ２５で操作リモコン４から「実行」キー５８が操作されるとＹｅｓとしてステップＳ２６で二枚目のメモリーカードの同じ日付もしくは連なった日付データのみ一枚目のデータを入れたと同じフォルダに追加挿入され、追加挿入したデータだけメモリーカードの内容からクリアし、メモリーカードに残っている異なった日付のデータを同じフォルダに入れるかテレビのモニター画面に図１７の様な注意画面を出して操作者の指示を待つ。ここで操作リモコン４から「実行」キー５８が操作されるとステップＳ２８でＹｅｓに進み次のステップＳ２９で前回と同じフォルダに残りのデータも追加挿入して、メモリカードをクリアしフラッグ▲１▼もクリアしてメモリカード排出処理ステップＳ１３に行く。
【００２１】
操作リモコン４から「解除」キー５９が操作されると、ステップＳ２４でフラッグ▲１▼をクリアして一枚目のメモリーカードが挿入された時と同じ処理になるようにステップＳ１８へ進み一枚目とは違うフォルダに入れられる。また、ステップＳ１のＷａｉｔで操作リモコン４が操作されると次のステップＳ２でＹｅｓとなりそれぞれタッチしたアイコンに該当する処理ステップＳ２７へと進んでそれぞれの処理を行った後ステップＳ１へ戻る。
【００２２】
（他の実施例−２）
図１８はファイリング部本体１のＲＯＭ３２に書き込まれているプログラムの他の実施例の処理フローを説明する図で、二枚目以降のメモリーカードのデーターも同じフォルダに入れられるように計っている。ステップＳ２６までの処理は図１６とおなじでフロー説明は省略する。残りのデータを同じフォルダに入れる時にはステップＳ２８でＹｅｓに進みステップＳ２９で前回と同じフォルダに残りのデータも追加挿入して、メモリーカードのクリア処理の後、他のメモリーカードのデータを移す作業を続けてするかステップＳ３０でテレビのモニター画面に図１９の様な画面を出して操作者の指示を待つ。続けて入れる場合はここで操作リモコン４で「実行」キー５８を操作してステップＳ３１のＹｅｓにぬけフラッグ▲１▼をクリアせずにメモリーカード排出処理ステップＳ１３に行く。一方、操作リモコン４で「解除」キー５９を操作すると、ＮｏにぬけステップＳ２０で一枚目のメモリーカードが挿入された時と同じ処理になるようにフラッグ▲１▼をクリアしてからメモリーカード排出ステップＳ１３に行く。残りデータを同じフォルダに入れない場合、操作リモコン４で「解除」キー５９を操作しステップＳ２８でＮｏにぬけステップＳ３２でテレビのモニター画面に図１９の様な画面を出して操作者の指示を待つ。操作リモコン４から「解除」キー５９が操作された時は、ステップＳ２４でフラッグ▲１▼をクリアして一枚目のメモリーカードが挿入された時と同じ処理になるようにステップＳ１８へ進み、「実行」キー５８が操作された時はフラッグ▲１▼はクリアせずにステップＳ１８へ進む。以降の処理は図１６と同じで説明は省略する。
【００２３】
【発明の効果】
以上説明したように、本発明によればメモリーカードの内容を自動的にハードディスクに移すことが出来、複数枚のメモリーカードにまたがる関連性の有るデータを同じフォルダに簡単に入れることができ、しかも記憶装置に移した後のメモリーカードのデータを自動的にクリアするため、後でメモリーカードのデータを別の装置で消去したりする煩わしさも無い使い勝手の良いファイル管理システムと成る。
【図面の簡単な説明】
【図１】本発明の画像ファイルシステムの構成を示すシステム図。
【図２】ファイリング部本体１の構成を示すブロック図。
【図３】操作リモコン４の構成を示すブロック図。
【図４】操作リモコン４の構造を示す断面図。
【図５】図５−１は操作指示カード５の表面の印刷例、図５−２は操作指示カード５の裏面の印刷例。
【図６】ファイリング部本体のＨＤＤ装置のファイル構造を示した物。
【図７】タッチパネル操作部の処理フロー図。
【図８】ＲＡＭのデータを示す図。
【図９】ＲＡＭのデータを示す図。
【図１０】操作リモコンの液晶表示機の表示状態を示す図。
【図１１】操作指示カードが操作リモコンに挿入された時の処理を示すフロー図。
【図１２】操作指示カードが操作リモコンから抜かれた時の処理を示すフロー図。
【図１３】ファイリング部本体のプログラムの処理フローを説明する図。
【図１４】テレビのモニター画面に表示した注意画面の例を示す図。
【図１５】テレビのモニター画面に表示した注意画面の例を示す図。
【図１６】ファイリング部本体のプログラムの他の実施例の処理フローを説明する図。
【図１７】テレビのモニター画面に表示した注意画面の例を示す図。
【図１８】ファイリング部本体のプログラムの他の実施例の処理フローを説明する図。
【図１９】テレビのモニター画面に表示した注意画面の例を示す図。
【符号の説明】
１　ファイリング部本体
２　メモリーカード
３　テレビ
４　操作リモコン
５　操作指示カード
２３　ＨＤＤ記憶装置
２６　赤外線送受信ユニット
４１　タッチパネル
４２　液晶表示装置
４３　バーコード読取装置
５７　バーコード印刷部
【図１】
2004133520.tif 000003
【図２】
2004133520.tif 000004
【図３】
2004133520.tif 000005
【図４】
2004133520.tif 000006
【図５】
2004133520.tif 000007
【図６】
2004133520.tif 000008
【図７】
2004133520.tif 000009
【図８】
2004133520.tif 000010
【図９】
2004133520.tif 000011
【図１０】
2004133520.tif 000012
【図１１】
2004133520.tif 000013
【図１２】
2004133520.tif 000014
【図１３】
2004133520.tif 000015
【図１４】
2004133520.tif 000016
【図１５】
2004133520.tif 000017
【図１６】
2004133520.tif 000018
【図１７】
2004133520.tif 000019
【図１８】
2004133520.tif 000020
【図１９】
2004133520.tif 000021